(57)【要約】【課題】本発明は、使用者が、座部の下方に下腿部を挿入して着座することが可能な椅子を提供することを目的とする。【解決手段】本発明の椅子１は、使用者が着座する座部２と、座部２を支持する脚部３と、脚部３を支持する支持台４とを備え、支持台４が、前方側に配置される前方側支持部と、前方側支持部の後方に連続して配置される後方側支持部とを備え、前方側支持部は、幅方向Ｘの中央近傍領域において、幅方向Ｘの他の部分よりも前側に突出するように形成され、前方側支持部の、前側に突出した先端部４１ａが、座部２の前面２ｂに対応する位置よりも後方に配置され、座部２の前方側の先端領域２ｃの下方と、座部２の前方側の先端領域２ｃより後方の側方領域２ｄ、２ｄの下方において、床面Ｆと座部２との間に使用者の下腿部の少なくとも一部を挿入可能な空間Ｓが形成されていることを特徴とする。【選択図】図１
2020203055.tif 000002
【特許請求の範囲】
【請求項１】
床面に載置されて使用される椅子であって、
使用者が着座する座部と、
前記座部に接続され、前記座部を支持する脚部と、
前記脚部に接続され、前記床面に載置され、前記脚部を支持する支持台と
を備え、
前記支持台が、前方側に配置される前方側支持部と、前記前方側支持部の後方に連続して配置される後方側支持部とを備え、
前記前方側支持部は、幅方向の中央近傍領域において、幅方向の他の部分よりも前側に突出し、前記前方側支持部の平均幅が前記後方側支持部の平均幅より小さくなるように形成され、
前記前方側支持部の、前側に突出した先端部が、前記座部の前面に対応する位置よりも後方に配置され、
前記座部の前方側の先端領域の下方と、前記座部の前方側の先端領域より後方の側方領域の下方において、前記床面と前記座部との間に前記使用者の下腿部の少なくとも一部を挿入可能な空間が形成されている、
椅子。
【請求項２】
前記前方側支持部は、前記先端部に向かって狭幅になるように形成されている、請求項１記載の椅子。
【請求項３】
前記前方側支持部の、前側に突出した先端部が、後方に凹んだ凹部を備える、請求項１または２記載の椅子。
【請求項４】
前記脚部が、前記支持台の幅方向の側方領域に接続される一対の側方脚部を備える、請求項１〜３のいずれか１項に記載の椅子。
【請求項５】
前記椅子が、前記座部の側方に設けられた一対の肘掛け部と、前記座部の後方に設けられた背凭れ部とを備える、請求項１〜４のいずれか１項に記載の椅子。
【請求項６】
前記床面から前記座部の座面までの高さが、１５０ｍｍ以上、３５０ｍｍ以下である、請求項１〜５のいずれか１項に記載の椅子。
【発明の詳細な説明】
【技術分野】
【０００１】
本発明は、椅子に関する。
【背景技術】
【０００２】
従来、旅館の和室などにおいて、周りの景色に違和感なくとけ込み、ゆったりとくつろいで着座するために、たとえば特許文献１に開示されるような、低い高さの座部を有する椅子が用いられている。
【先行技術文献】
【特許文献】
【０００３】
【特許文献１】実公昭６３−２０３７６号公報
【発明の概要】
【発明が解決しようとする課題】
【０００４】
特許文献１に開示されるような低い高さの座部を有する椅子は、一般的に、座部が使用者の下腿部の長さよりも低い高さになるように設計されている。そのため、使用者は、足の裏が床面につくように膝を曲げて着座すると、膝が高い位置にきて、いわゆる体育座りのような姿勢になるため、前方の視界が塞がれてしまう。特に女性の場合は、スカートや浴衣などを着用していると、膝が高い位置にくるような姿勢で着座することができない。
【０００５】
たとえば、女性の場合、膝が高い位置にくるような姿勢を避けるために、両方の下腿部を揃えて側方から後方に延びるように膝を曲げて（いわゆる横座りのような姿勢で）着座し、あるいは、両方の下腿部をそれぞれ両側の側方から後方に延びるように膝を曲げて（いわゆる割座のような姿勢で）着座することが考えられる。しかし、横座りまたは割座のような姿勢で着座するためには、椅子の前側の脚部が邪魔になって座部の下方に下腿部を挿入することができないので、座部の前方に着座する必要がある。また、男性の場合、両方の下腿部のそれぞれを反対側の側方から後方に延びるように膝を曲げて（いわゆる胡坐のような姿勢で）着座することが考えらえるが、この場合も、前側の脚部が邪魔になって座部の下方に下腿部を挿入することができないので、座部の前方に着座する必要がある。使用者は、座部の前方に着座することによって、座部上で不安定な姿勢となって、ゆったりとくつろぐことができない。
【０００６】
本発明は、上記問題に鑑みなされたもので、使用者が、座部の下方に下腿部を挿入して着座することが可能な椅子を提供することを目的とする。
【課題を解決するための手段】
【０００７】
本発明の椅子は、床面に載置されて使用される椅子であって、使用者が着座する座部と、前記座部に接続され、前記座部を支持する脚部と、前記脚部に接続され、前記床面に載置され、前記脚部を支持する支持台とを備え、前記支持台が、前方側に配置される前方側支持部と、前記前方側支持部の後方に連続して配置される後方側支持部とを備え、前記前方側支持部は、幅方向の中央近傍領域において、幅方向の他の部分よりも前側に突出し、前記前方側支持部の平均幅が前記後方側支持部の平均幅より小さくなるように形成され、前記前方側支持部の、前側に突出した先端部が、前記座部の前面に対応する位置よりも後方に配置され、前記座部の前方側の先端領域の下方と、前記座部の前方側の先端領域より後方の側方領域の下方において、前記床面と前記座部との間に前記使用者の下腿部の少なくとも一部を挿入可能な空間が形成されていることを特徴とする。
【０００８】
また、前記前方側支持部は、前記先端部に向かって狭幅になるように形成されていることが好ましい。
【０００９】
また、前記前方側支持部の、前側に突出した先端部が、後方に凹んだ凹部を備えることが好ましい。
【００１０】
また、前記脚部が、前記支持台の幅方向の側方領域に接続される一対の側方脚部を備えることが好ましい。
【００１１】
また、前記椅子が、前記座部の側方に設けられた一対の肘掛け部と、前記座部の後方に設けられた背凭れ部とを備えることが好ましい。
【００１２】
また、前記床面から前記座部の座面までの高さが、１５０ｍｍ以上、３５０ｍｍ以下であることが好ましい。
【発明の効果】
【００１３】
本発明によれば、使用者が、座部の下方に下腿部を挿入して着座することが可能な椅子を提供することができる。
【図面の簡単な説明】
【００１４】
【図１】本発明の一実施形態に係る椅子の斜視図である。
【図２】図１の椅子の、座部および座部より上側の要素の図示を省略した上面図である。
【図３】本発明の他の実施形態に係る椅子の、座部および座部より上側の要素の図示を省略した上面図である。
【図４】本発明の他の実施形態に係る椅子の、座部および座部より上側の要素の図示を省略した上面図である。
【図５】本発明の他の実施形態に係る椅子の、座部および座部より上側の要素の図示を省略した上面図である。
【図６】本発明の他の実施形態に係る椅子の、座部および座部より上側の要素の図示を省略した上面図である。
【発明を実施するための形態】
【００１５】
以下、添付図面を参照して、本発明のいくつかの実施形態に係る椅子を説明する。ただし、以下の実施形態は例に過ぎず、本発明の椅子は、以下の実施形態に限定されるものではない。
【００１６】
本発明の一実施形態に係る椅子１は、図１に示されるように、床面Ｆに載置され、使用者が腰掛けるために使用される。椅子１が載置される床面Ｆとしては、使用者が腰掛けて使用するために椅子１を載置可能な面であれば、特に限定されることはなく、畳、カーペット、木製床材、タイルなどの表面が例示される。なお、本明細書においては、特に限定されることはなく、椅子１が略水平な床面に載置されていることを想定して、「上」および「下」という用語を、鉛直方向の「上」および「下」を意味するものとして用い、「前」および「後」という用語を、椅子１に腰掛けた状態の使用者から見た「前」および「後」を意味するものとして用いる。また、本明細書においては、特に限定されることはなく、椅子１の前後を結ぶ方向を「前後方向」とし、床面に沿って前後方向に直交す方向を「幅方向」とする。
【００１７】
椅子１は、図１に示されるように、使用者が着座する座部２と、座部２に接続され、座部２を支持する脚部３と、脚部３に接続され、脚部３を支持する支持台４とを備えている。椅子１は、支持台４が床面Ｆに接触するように配置されることで、床面Ｆに載置されて使用される。椅子１は、さらに、座部２の側方に設けられた一対の肘掛け部５、５と、座部２の後方に設けられた背凭れ部６とを備えていてもよい。椅子１が肘掛け部５、５および背凭れ部６を備えることにより、使用者は、椅子１に腰掛けた際に、肘掛け部５、５に両方の肘をそれぞれ載せることができるとともに、背凭れ部６に背中を凭れかけることができるので、よりゆったりとくつろいで椅子１に腰掛けることができる。肘掛け部５、５および背凭れ部６は、図示された例では互いに別々に設けられているが、互いに連続して一体的に設けられてもよい。なお、肘掛け部５、５および背凭れ部６はそれぞれ、肘を置き、背中を凭れかけることができれば、特に限定されることはなく、公知の肘掛けおよび背凭れと同様の構造を採用することができる。なお、本発明の椅子は、必ずしも肘掛け部５、５および背凭れ部６を備えていなくてもよい。
【００１８】
座部２は、使用者が臀部を載せて着座する部位である。座部２は、図１に示されるように、上面に使用者が臀部を載せて着座する座面２ａを有し、下面に座部２を支持するための脚部３が接続される。座部２は、床面Ｆに載置される支持台４に脚部３を介して接続されることで、床面Ｆから所定の高さに位置付けられる。床面Ｆからの座部２の座面２ａまでの高さＨは、特に限定されることはないが、たとえば使用者が目線を床面Ｆに近づけて落ち着いて着座するという観点から、３５０ｍｍ以下であることが好ましく、３２０ｍｍ以下であることがさらに好ましく、２９０ｍｍ以下であることがよりさらに好ましい。また、床面Ｆからの座部２の座面２ａまでの高さＨは、使用者が座部２に容易に着座し、座部２から離れて容易に立ち上がるという観点から、１５０ｍｍ以上が好ましく、１８０ｍｍ以上がさらに好ましく、２２０ｍｍ以上がよりさらに好ましい。
【００１９】
座部２は、本実施形態では、図１に示されるように、略矩形の板状に形成されている。ただし、座部２は、使用者が臀部を載せることができれば、その形状は特に限定されることはなく、略円形状や略多角形状など他の形状に形成されていてもよい。座部２の大きさもまた、使用者が臀部を載せることができる大きさであれば、特に限定されることはなく、使用者の身体の大きさに応じて適宜設定することができる。また、座部２は、使用者が着座した状態で使用者を支持する強度を有していれば、その材質は特に限定されることはなく、木材、樹脂、金属などの任意の材料により形成することができる。なお、座部２は、座面２ａに直接使用者の臀部が載せられてもよいし、座面２ａに敷かれた座布団やクッションなどを介して間接的に使用者の臀部が載せられてもよい。
【００２０】
脚部３は、座部２を所定の高さに位置付け、所定の高さで座部２を支持する部位である。脚部３は、座部２を支持し、座部２を介して、座部２に着座する使用者を支持する。脚部３は、図１に示されるように、上下方向に延び、上端が座部２に接続され、下端が支持台４に接続される。脚部３は、支持台４を介して、床面Ｆから所定の高さに座部２を位置付ける。脚部３は、本実施形態では、図１および図２に示されるように、支持台４の幅方向Ｘの側方領域に接続される一対の側方脚部３１、３１を備えている。脚部３はさらに、図示されるように、支持台４の幅方向Ｘの中央近傍領域に接続される中央脚部３２を備えていてもよい。側方脚部３１、３１および中央脚部３２はそれぞれ、略矩形の板状に形成され、前後方向Ｙに沿って延びるように配置されている。ただし、脚部３は、座部２を支持することができれば、図示された例に限定されることはない。脚部３は、たとえば、図６に示されるように、上述した一対の側方脚部３１、３１と、略矩形の板状に形成され、支持台４の先端部４１ａ近傍において、幅方向Ｘに沿って延びるように配置された前方脚部３３とを備えていてもよい。また、脚部３は、たとえば、中央脚部３２が省略されて、一対の側方脚部３１、３１だけを有していてもよい。また、脚部３は、側方脚部３１、３１、中央脚部３２、前方脚部３３ではなく、座部２の下面の略中心と支持台４との間に接続される柱状の脚部の１つだけを有していてもよい。また、脚部３は、座部２に使用者が着座した状態で座部２および使用者を支持することができる強度を有していれば、その材質は特に限定されることはなく、木材、樹脂、金属などの任意の材料により形成することができる。
【００２１】
支持台４は、床面Ｆに載置され、脚部３を支持する部位である。支持台４は、脚部３を支持し、脚部３を介して、座部２および座部２に着座する使用者を支持する。支持台４は、図１に示されるように、脚部３の下端に接続され、脚部３を下方から支持する。支持台４は、本実施形態では、板状に形成され、床面Ｆに接触する下面の略全面が略平坦に形成されている。それにより、支持台４は、床面Ｆに載置されたときに、下面の略全面が床面Ｆに面接触する。そのため、床面Ｆに載置された椅子１に使用者が腰を掛けても、椅子１の荷重および使用者の体重により床面Ｆを押圧する力が、支持台４の下面の略全面に亘って分散されるので、床面Ｆが変形する（たとえば畳が凹む）のが抑制される。また、椅子１を移動させようとして、床面Ｆ上で支持台４を介して椅子１を摺動させても、床面Ｆに加わる力が支持台４の下面の略全面に亘って分散されるので、床面Ｆが傷付くことが抑制される。
【００２２】
なお、支持台４は、脚部３を支持し、脚部３を介して座部２および使用者を支持することができればよく、必ずしも板状でなくても構わない。支持台４は、たとえば下面の一部だけが略平坦に形成されていてもよいし、上面が凹凸を有する構造であっても構わない。また、支持台４は、座部２に使用者が着座した状態で座部２、脚部３および使用者を支持する強度を有していれば、その材質は特に限定されることはなく、木材、樹脂、金属などの任意の材料により形成することができる。
【００２３】
つぎに、図１および図２に示された実施形態に係る椅子の変形例が示された図３〜図６も併せて参照しながら、椅子１の支持台４の詳細について説明する。図３〜図６に示された椅子１は、基本的には、支持台４（および脚部３の一部）の形状が異なるのを除いて、図１および図２に示された椅子１と同様の構成を有している。
【００２４】
支持台４は、図２に示されるように、前方側に配置される前方側支持部４１と、前方側支持部４１の後方に連続して配置される後方側支持部４２とを備えている。前方側支持部４１および後方側支持部４２はそれぞれ、支持台４の前後方向Ｙの最大長さの中心を通って幅方向Ｘに沿って延びる中心線Ｃを挟んで前方側（図２中、上側）および後方側（図２中、下側）に位置する部位である。支持台４は、本実施形態では、前方側支持部４１および後方側支持部４２が中心線Ｃにおいて分離することなく互いに連続的に一体として形成されている。しかし、支持台４は、前方側支持部４１および後方側支持部４２が互いに分離されることなく連続して設けられていれば、図示された例に限定されることはなく、前方側支持部４１および後方側支持部４２がそれぞれ別体として形成されて互いに接続されて形成されてもよいし、中心線Ｃとは無関係に、２つまたは３つ以上の部材が接続されることで形成されてもよい。支持台４は、２つ以上の部材が接続されて形成される場合にも、それぞれの下面が同一平面になるように形成される。
【００２５】
前方側支持部４１は、図２に示されるように、幅方向Ｘの中央近傍領域において、幅方向Ｘの他の部分よりも前側に突出し、前方側支持部４１の平均幅が後方側支持部４２の平均幅より小さくなるように形成されている。そして、前方側支持部４１の、前側に突出した先端部４１ａが、座部２の前面２ｂに対応する位置（前面２ｂの鉛直下方位置）よりも後方に配置されている。これにより、座部２の前方側の先端領域２ｃの下方と、座部２の前方側の先端領域２ｃより後方の側方領域２ｄの下方において、床面Ｆと座部２との間に使用者の下腿部（膝から足首までの部位）の少なくとも一部を挿入可能な空間Ｓ（図１参照）が形成されている。使用者は、この空間Ｓに下腿部を挿入して椅子１に着座することができるので、着座している際にゆったりとくつろぐことができる。特に、使用者は、座部２の先端領域２ｃおよび側方領域２ｄの下方に空間Ｓが形成されることで、着座した際に膝を折り曲げて、座部２の前方から斜め後方に向かって下腿部を挿入することができる。したがって、使用者は、たとえば横座り、割座、胡坐などのような姿勢で椅子１に着座することができる。
【００２６】
ここで、空間Ｓは、図１に示されるように、座部２と、座部２を鉛直方向の下方に投影した時の床面Ｆ上の投影面との間にあって、脚部３および支持台４が存在しない空間として定義される。このように空間Ｓが座部２と床面Ｆとの間に形成されることで、空間Ｓが座部２と支持台４との間に形成される場合と比べて、座部２の座面２ａの床面Ｆからの高さＨが同じであっても、支持台４の分だけ空間Ｓの高さをより高くすることができる。それによって、座部２の高さを抑えながら、使用者の下腿部の少なくとも一部を挿入することができる高さを有する空間Ｓを形成することができる。
【００２７】
空間Ｓは、本実施形態では、図１および図２に示されるように、座部２の先端領域２ｃおよび側方領域２ｄと、先端領域２ｃおよび側方領域２ｄを鉛直方向の下方に投影した時の床面Ｆ上の投影面（図１中、床面Ｆ上に点線で示された領域）との間に形成される。座部２の先端領域２ｃは、支持台４の前方側支持部４１の先端部４１ａに対応する位置（先端部４１ａの鉛直上方位置）よりも前方に位置する座部２の全幅領域である。また、座部２の側方領域２ｄは、先端領域２ｃよりも後方の領域の中の側方に位置し、支持台４の前方側支持部４１の側面４１ｃに対応する位置（側面４１ｃの鉛直上方位置）よりも外側に位置する領域である。空間Ｓの形状は、座部２の先端領域２ｃおよび側方領域２ｄの形状に応じて画定され、座部２の先端領域２ｃおよび側方領域２ｄの形状は、支持台４の前方側支持部４１の形状および配置に応じて画定される。また、空間Ｓの大きさは、座部２の先端領域２ｃおよび側方領域２ｄの大きさと、床面Ｆから座部２の先端領域２ｃおよび側方領域２ｄまでの高さにより画定される。空間Ｓは、本実施形態では、座部２の先端領域２ｃおよび側方領域２ｄの下方にのみ形成されている。しかし、空間は、少なくとも座部２の先端領域２ｃおよび側方領域２ｄの下方に形成されていればよく、先端領域２ｃおよび側方領域２ｄ以外の座部２の他の領域の下方に形成されていても構わない。
【００２８】
空間Ｓは、座部２の先端領域２ｃおよび側方領域２ｄの下方に形成され、使用者の下腿部の少なくとも一部を挿入することができればよく、その形状や大きさは特に限定されることはない。そして、空間Ｓの形状および大きさを画定する要素の１つである支持台４の前方側支持部４１は、幅方向Ｘの中央近傍領域において、幅方向Ｘの他の部分よりも前側に突出するように形成され、その平均幅が後方側支持部４２の平均幅よりも小さくなるように形成されていれば、以下の例示的な記載に関わらず、その形状や大きさは特に限定されることはない。なお、前方側支持部４１および後方側支持部４２のそれぞれの幅は、前方側支持部４１および後方側支持部４２のそれぞれの幅方向Ｘにおける外側の縁同士の間の長さを意味する。前方側支持部４１および後方側支持部４２のそれぞれの平均幅は、前方側支持部４１および後方側支持部４２のそれぞれの幅の前後方向Ｙに亘る平均を意味する。たとえば、前方側支持部４１および後方側支持部４２の平均幅が大きいほど、前方側支持部４１および後方側支持部４２の外縁により画定される床面Ｆ上の設置面積が大きくなって、前方側支持部４１および後方側支持部４２の姿勢が安定する。図２〜図６に示された実施形態では、前方側支持部４１および後方側支持部４２は、後方側支持部４２の設置面積が前方側支持部４１の設置面積よりも大きくなるように形成されている。
【００２９】
前方側支持部４１は、たとえば図２および図３に示された実施形態では、上面視で、略台形状に形成され、前後方向Ｙで先端部４１ａに向かって狭幅（先細）になるように形成されている。前方側支持部４１が前後方向Ｙで先端部４１ａに向かって狭幅になるように形成されることで、空間Ｓは、座部２の前方から斜め後方に向かって延びるように形成される。これにより、使用者は、座部２に着座して空間Ｓに下腿部を挿入する際に、空間Ｓの端部、すなわち前方側支持部４１の側面４１ｃに沿って下腿部を挿入しやすい。また、図４に示された実施形態では、前方側支持部４１は、上面視で、略半円状に形成され、前後方向Ｙで先端部４１ａに向かって狭幅（先細）になるように形成されている。この場合、使用者は、上記と同様に、前方側支持部４１の側面４１ｃに沿って下腿部を挿入しやすいだけでなく、側面４１ｃが湾曲しているので、側面４１ｃに下腿部を当接しても、当接感を和らげることができる。いずれの実施形態においても、使用者の下腿部が当接したときの当接感を和らげるために、前方側支持部４１の先端部４１ａの先端や側面４１ｃが面取りされていることが好ましい。
【００３０】
また、前方側支持部４１は、たとえば図５に示される実施形態では、上面視で、略Ｔ字状に形成され、前方側において、前後方向Ｙで先端部４１ａに向かって略一定の幅で延びるように形成されている。前方側支持部４１が前後方向Ｙで先端部４１ａに向かって略一定の幅で延びるように形成されることで、空間Ｓは、座部２の前方から後方に向かってほぼまっすぐに延びるように形成される。使用者は、空間Ｓ内に下腿部を挿入する際に、上述した座部２の前方から斜め後方に向かう方向以外にも、座部２の前方から後方に向かって前後方向Ｙに沿ってほぼまっすぐに下腿部を挿入することもできる。この実施形態においても、使用者の下腿部が当接したときの当接感を和らげるために、前方側支持部４１の先端部４１ａの先端や側面４１ｃが面取りされていることが好ましい。
【００３１】
また、前方側支持部４１は、たとえば図６に示された実施形態では、全体的には、図２〜図４に示された実施形態と同様に、前後方向Ｙで先端部４１ａに向かって狭幅（先細）になるように形成されている。これにより、使用者は、図２〜図４に示された実施形態に関して述べたのと同様に、座部２に着座して空間Ｓに下腿部を挿入する際に、空間Ｓの端部、すなわち前方側支持部４１の側面４１ｃに沿って下腿部を挿入しやすい。その一方で、前方側支持部４１は、図２〜図４に示された実施形態とは異なり、前方側支持部４１の後方側の幅方向Ｘの中央領域に空洞部４１ｄが形成されて、上面視で、後方側が開口した略Ｃ字状に形成されている。これにより、図２〜図４に示された実施形態と同程度の平均幅および設置面積を確保して、前方側支持部４１の姿勢の安定性を維持しながら、空洞部４１ｄの分だけ前方側支持部４１を軽量化することができる。
【００３２】
前方側支持部４１の先端部４１ａは、支持台４の幅方向Ｘの中央近傍領域において、幅方向Ｘの他の部位よりも前側に突出した部位である。先端部４１ａは、支持台４の幅方向Ｘの中央近傍領域で前側に突出するように設けられていればよく、その形状は特に限定されることはない。先端部４１ａは、たとえば図２、図５および図６に示されるように、前側の端部が幅方向Ｘに沿って略直線状に形成されていてもよいし、たとえば図４に示されるように、前側に凸となるように湾曲していてもよい。また、先端部４１ａは、図３に示されるように、後方に凹んだ凹部４１ｂを備えていてもよい。先端部４１ａが後方に凹んだ凹部４１ｂを備えることにより、使用者は、たとえば胡坐のような姿勢で着座するような場合に、凹部４１ｂに対応する空間Ｓの部分に足の踵を挿入することができ、空間Ｓ内で下腿部を安定して配置することができる。
【００３３】
後方側支持部４２は、その平均幅が前方側支持部４１の平均幅より大きくなるように形成されていればよく、その形状は特に限定されることはない。後方側支持部４２は、たとえば図２〜図５に示される実施形態では、上面視で、幅方向Ｘおよび前後方向Ｙの両方に拡張するように形成されている。より具体的には、後方側支持部４２は、幅方向Ｘに延びる辺と前後方向Ｙに延びる辺とを有する略矩形状に形成されている。後方側支持部４２は、座部２の後方側の領域と上面視で略同一の形状および大きさに形成され、座部２の後方側の領域に対応する位置（後方側の鉛直下方位置）に配置されている。支持台４は、後方側支持部４２が幅方向Ｘおよび前後方向Ｙの両方に拡張するように形成されることで、幅方向Ｘおよび前後方向Ｙの両方において座部２が安定するように脚部３を支持することができる。なお、後方側支持部４２は、少なくとも前方側支持部４１より大きい平均幅を有するように形成されていればよく、座部２の後方側の領域とは異なる形状および大きさに形成されていてもよい。
【００３４】
また、後方側支持部４２は、たとえば図６に示される実施形態では、全体としては、上面視で、幅方向Ｘおよび前後方向Ｙの両方に拡張するように形成される一方で、詳細には、幅方向Ｘの中央領域において前後方向Ｙの全体に延び、前方側支持部４１の空洞部４１ｄと連接する空洞部４２ｃが設けられている。すなわち、後方側支持部４２は、空洞部４２ｃを介して幅方向Ｘで互いに離間した一対の第１後方側支持部４２ａおよび第２後方側支持部４２ｂを備えている。第１後方側支持部４２ａおよび第２後方側支持部４２ｂは、前後方向Ｙに沿って互いに略平行に延びるように配置され、それぞれの前後方向Ｙの前方側の端部が、前方側支持部４１の前後方向Ｙの後方側の端部にそれぞれ接続されている。支持台４は、前方側支持部４１および後方側支持部４２が互いに接続されることで、上面視で、後方側が開口した略Ｕ字状に形成されている。後方側支持部４２は、第１後方側支持部４２ａおよび第２後方側支持部４２ｂが幅方向Ｘで互いに離間して配置されることで、その平均幅を大きくし、設置面積を大きくして、後方側支持部４２の姿勢の安定性を確保しながら、空洞部４２ｃの分だけ後方側支持部４２を軽量化することができる。
【００３５】
支持台４は、前方側支持部４１の平均幅を後方側支持部４２の平均幅より小さくすることにより、座部２の前方側と床面Ｆとの間に上述した空間Ｓを提供することができ、その一方で、後方側支持部４２の平均幅を前方側支持部４１の平均幅より大きくすることにより、支持台４の設置面積を後方側で大きくすることができ、座部２が後方側への負荷を受けたとしても、座部２が後方に傾斜することが抑制されるなど、座部２の姿勢を安定させることができる。図２〜図６に示された実施形態では、前方側支持部４１は、前方側支持部４１の幅方向Ｘの最大長さが後方側支持部４２の幅方向Ｘの最小長さ以下になるように形成されている。言い換えると、前方側支持部４１は、前方側支持部４１の幅方向Ｘの最小長さが後方側支持部４２の幅方向Ｘの最小長さより小さくなるように形成されている。つまり、後方側支持部４２は、前方側支持部４１の幅方向Ｘの長さ以上の幅で形成されている。これにより、支持台４は、座部２が側方への負荷を受けたとしても、座部２が側方へ傾斜することが抑制されるなど、座部２の姿勢を安定させることができる。
【符号の説明】
【００３６】
１  椅子
２  座部
２ａ  座面
２ｂ  前面
２ｃ  先端領域
２ｄ  側方領域
３  脚部
３１  側方脚部
３２  中央脚部
３３  前方脚部
４  支持台
４１  前方側支持部
４１ａ  先端部
４１ｂ  凹部
４１ｃ  側面
４１ｄ  空洞部
４２  後方側支持部
４２ａ  第１後方側支持部
４２ｂ  第２後方側支持部
４２ｃ  空洞部
５  肘掛け部
６  背凭れ部
Ｃ  支持台の中心線
Ｆ  床面
Ｈ  床面から座部の座面までの高さ
Ｓ  空間
Ｘ  幅方向
Ｙ  前後方向
【図１】
2020203055.tif 000003
【図２】
2020203055.tif 000004
【図３】
2020203055.tif 000005
【図４】
2020203055.tif 000006
【図５】
2020203055.tif 000007
【図６】
2020203055.tif 000008